(57)【要約】【課題】容易に組立・分解可能であるとともに、内部で猫が上下運動したり、リラックスしてお昼寝したりすることができる猫用遊具を提供する。【解決手段】床面に載置される平面状の底面部材と、シート状の上面部材と、前記底面部材と前記上面部材との間に配置されるシート状の仕切り部材と、前記底面部材の周縁、前記上面部材の周縁及び前記仕切り部材の周縁と接合されたシート状の側面部材と、前記側面部材を自立させる繊維強化プラスチック製の支柱の３本以上とを有し、前記仕切り部材及び前記側面部材には、猫が通り抜けるための出入口が設けられている猫用遊具を提供する。【選択図】図１
2014030371.tif 000002
【特許請求の範囲】
【請求項１】
床面に載置される平面状の底面部材と、
シート状の上面部材と、
前記底面部材と前記上面部材との間に配置されるシート状の仕切り部材と、
前記底面部材の周縁、前記上面部材の周縁及び前記仕切り部材の周縁と接合されたシート状の側面部材と、
前記側面部材を自立させる繊維強化プラスチック製の支柱の３本以上と
を有し、
前記仕切り部材及び前記側面部材には、猫が通り抜けるための出入口が設けられている猫用遊具。
【請求項２】
前記側面部材には、前記支柱の下部を挿入する支柱ポケットと、前記支柱の上部を固定する支柱止めが設けられている請求項１に記載の猫用遊具。
【請求項３】
前記側面部材には、前記支柱の中央部の位置ずれを防止する支柱ガイドが設けられている請求項２に記載の猫用遊具。
【請求項４】
前記支柱は、中央部から折りたたみ可能である請求項１〜３のいずれか１項に記載の猫用遊具。
【請求項５】
前記支柱を４〜５本有する請求項１〜４のいずれか１項に記載の猫用遊具。
【請求項６】
前記支柱は、ガラス繊維強化プラスチック製である請求項１〜５のいずれか１項に記載の猫用遊具。
【請求項７】
前記側面部材に設けられた前記出入口は開閉可能である請求項１〜６のいずれか１項に記載の猫用遊具。
【請求項８】
前記側面部材には、猫と遊ぶおもちゃを挿入するプレイホールが設けられている請求項１〜７のいずれか１項に記載の猫用遊具。
【請求項９】
前記仕切り部材を２つ以上有する請求項１〜８のいずれか１項に記載の猫用遊具。
【請求項１０】
前記上面部材には、猫が通り抜けるための出入口が設けられている請求項１〜９のいずれか１項に記載の猫用遊具。
【請求項１１】
前記上面部材に設けられた前記出入口は開閉可能である請求項１０に記載の猫用遊具。
【請求項１２】
前記上面部材、前記仕切り部材及び前記側面部材は、布製である請求項１〜１１のいずれか１項に記載の猫用遊具。
【請求項１３】
前記側面部材の少なくとも一部が、メッシュ状になっている請求項１２に記載の猫用遊具。
【請求項１４】
前記底面部材には、転倒を防止するためのおもりが設けられている請求項１〜１３のいずれか１項に記載の猫用遊具。
【請求項１５】
前記底面部材、前記上面部材及び前記仕切り部材が円形をなしており、全体として円筒形状をなしている請求項１〜１４のいずれか１項に記載の猫用遊具。
【発明の詳細な説明】
【技術分野】
【０００１】
本発明は、内部で猫が上下運動したりお昼寝したりする猫用遊具に関する。
【背景技術】
【０００２】
従来、支柱を床面と天井との間に突っ張るようにして固定し、この支柱に複数の棚板を取り付けた猫用遊具が一般的に提供されている。このタイプの猫用遊具であれば、猫が棚板間を飛び移ったり登り降りしたりして遊ぶことができ、猫の運動不足を解消することができる。しかし、このタイプの猫用遊具は、一度設置してしまうと、その取り外しは容易ではなく、設置場所の変更は困難であった。
【０００３】
そこで、設置場所の変更が容易な猫用遊具が開発されている。特許文献１には、床面に載置される支持部と、支持部に支持され猫が出入り自在に構成された箱形のハウス部と、を備えた遊具体を２つ有し、前記２つの遊具体のそれぞれのハウス部の１つの側面には、猫の出入口が形成され、これら出入口が相対向するように各遊具体を設置し、各出入口を連結部材を介して連結した連結使用態様と、前記連結部材を取り外して、２つの遊具体をそれぞれ分離して設置した分離使用態様とを選択可能に構成された猫用遊具が記載されている。このタイプの猫用遊具であれば、設置場所の変更が容易で、場所に合わせて使い分けることができる。
【先行技術文献】
【特許文献】
【０００４】
【特許文献１】特開２００６−２１１９１９号公報
【発明の概要】
【発明が解決しようとする課題】
【０００５】
猫は、猫用遊具で遊んだり運動したりした後に、お昼寝をすることもある。しかし、特許文献１に記載された猫用遊具のハウス部は、基本的に板状のもので形成されているので、寝心地が悪くリラックスすることができない。
【０００６】
そこで、本発明は、容易に組立・分解可能であるとともに、内部で猫が上下運動したり、リラックスしてお昼寝したりすることができる猫用遊具を提供することを目的とする。
【課題を解決するための手段】
【０００７】
本発明の猫用遊具は、床面に載置される平面状の底面部材と、シート状の上面部材と、前記底面部材と前記上面部材との間に配置されるシート状の仕切り部材と、前記底面部材の周縁、前記上面部材の周縁及び前記仕切り部材の周縁と接合されたシート状の側面部材と、前記側面部材を自立させる繊維強化プラスチック製の支柱の３本以上とを有し、前記仕切り部材及び前記側面部材には、猫が通り抜けるための出入口が設けられている。
【発明の効果】
【０００８】
本発明によれば、容易に組立・分解可能であるとともに、内部で猫が上下運動したり、リラックスしてお昼寝したりすることができる猫用遊具を提供できる。
【図面の簡単な説明】
【０００９】
【図１】本発明の一実施形態に係る猫用遊具の模式的斜視図である。
【図２】図１に示した猫用遊具の模式的平面図である。
【図３】図１に示した猫用遊具の内部構造を現した模式的斜視図である。
【発明を実施するための形態】
【００１０】
本発明の一実施形態に係る猫用遊具の模式的斜視図を図１に、その模式的平面図を図２に、その内部構造を現した模式的斜視図を図３に示す。
【００１１】
図１に示す猫用遊具は、底面部材１０と、上面部材２０と、底面部材１０と上面部材２０との間に配置される仕切り部材３０の２枚と、底面部材１０の周縁、上面部材２０の周縁及び２枚の仕切り部材３０の周縁と接合された側面部材４０と、側面部材４０を自立させる支柱５０の５本を有している。
【００１２】
底面部材１０は、平面状のものであり、床面に載置される部分であって、猫用遊具の底面を構成する。底面部材１０には、猫用遊具の転倒を防止するためのおもりが設けられていることが好ましく、例えば、おもりとしての合板をカバーで覆ったものを用いることができる。カバーとしては、ポリエステル繊維等で形成された布製ものや、プラスチックやビニール等のフィルム製のものが挙げられるが、ポリエステル繊維で形成された布製のものが好ましい。
【００１３】
上面部材２０は、シート状のものであり、猫用遊具の上面を構成する。上面部材２０としては、ポリエステル繊維等で形成された布製ものや、プラスチックやビニール等のフィルム製のものが挙げられるが、ポリエステル繊維で形成された布製のものが好ましい。
【００１４】
上面部材２０には、猫が通り抜けるための出入口が設けられていることが好ましい。上面部材２０に形成される出入口は、円形でも多角形でもベロ状でもよいが、円形が好ましい。上面部材２０に形成される出入口は２つ以上でも構わないが、１つが好ましい。例えば、図１に示す猫用遊具の上面部材２０には、円形の出入口２１が１つ設けられている。円形の出入口２１の大きさとしては、猫が通り抜けることができる大きさであればよいが、直径１０〜３０ｃｍとすることが好ましく、直径１５〜２０ｃｍとすることがより好ましく、直径１６〜１７ｃｍとすることがさらに好ましい。
【００１５】
出入口は開閉可能であることが好ましい。具体的には、円形の出入口２１の場合、例えば図３に示す破線部にファスナーを取り付け、出入口２１となる部分を上面部材２０から取り外して出入口２１を開けたり、出入口２１となる部分を上面部材２０に取り付けて出入口２１を閉めたりすることができる。こうすることで、急な来客等があったときには出入口２１を閉め、猫サークルとして使用することができる。出入口２１となる部分は、メッシュ状であることが好ましい。
【００１６】
仕切り部材３０は、上面部材２０と同様にシート状のものであり、底面部材１０と上面部材２０との間に配置され、猫用遊具の内部空間を仕切るものである。仕切り部材３０の材質としては、上面部材２０と同様のものが挙げられる。本発明に係る猫用遊具には、仕切り部材３０が２つ以上設けられていることが好ましく、その数は２つでも３つでも４つでもよい。仕切り部材は水平に設けられていることが好ましい。例えば、図１に示す猫用遊具には、仕切り部材３０が２つ水平に設けられており、猫用遊具の内部空間が３段のフロアに分けられ、全体として３階建てのタワー状になっている。
【００１７】
仕切り部材３０には、上面部材２０と同様に、猫が通り抜けるための出入口が設けられていることが好ましい。仕切り部材３０に形成される出入口の形状や大きさは、上面部材２０と同様のものが挙げられる。こうすることで、内部で猫が上下運動をすることができるようになる。仕切り部材３０に形成される出入口は２つ以上でも構わないが、１つが好ましい。例えば、図１に示す猫用遊具の仕切り部材３０には、円形の出入口３１が１つ設けられている。また、猫用遊具が２つ以上の仕切り部材３０を有する場合、内部で猫が上下運動をしやすい構造とするため、それらの仕切り部材３０に形成される出入口の位置は上方から見てずれていることが好ましい。仕切り部材３０に形成される出入口３１は、上面部材２０に形成される出入口２１と同様に開閉可能でも構わないが、仕切り部材３０は猫用遊具の内部に配置されることから、仕切り部材３０に形成される出入口３１は開閉可能でなくても問題ない。
【００１８】
側面部材４０は、上面部材２０と同様にシート状のものであり、底面部材１０の周縁、上面部材２０の周縁及び仕切り部材３０の周縁と接合されており、猫用遊具の側面を構成する。側面部材４０の材質としては、上面部材２０と同様のものが挙げられる。
【００１９】
側面部材４０には、上面部材２０と同様に、猫が通り抜けるための出入口が設けられていることが好ましい。側面部材４０に形成される出入口の形状や大きさは、上面部材２０と同様のものが挙げられる。仕切り部材３０に形成される出入口は１つでも構わないが、２つ以上であることが好ましく、その数は２つでも３つでも４つでもよい。また、仕切り部材３０で仕切られる各領域の側面部材４０又は上面部材２０には、それぞれ１つの出入口を有することが好ましい。例えば、図１に示す猫用遊具の側面部材４０には、中段のフロアに形成されたベロ状の出入口４１と、下段のフロアに形成された円形の出入口４３が１つずつ、合計２つ設けられている。上段のフロアの上部となる上面部材２０には出入口２１が設けられているので、各フロアに１つずつ出入口があることになる。
【００２０】
側面部材４０に形成される出入口は、上面部材２０に形成される出入口２１と同様に開閉可能であることが好ましい。具体的には、円形の出入口４３の場合、上面部材２０に形成される円形の出入口２１と同様の構成とすることができる。また、ベロ状の出入口４１の場合、例えば図３に示す破線部にファスナーを取り付け、ファスナーを開けて出入口４１となる部分をまるめて捲り上げることで出入口４１を開けたり、出入口４１となる部分を下げてファスナーを閉めることで出入口４１を閉めたりすることができる。出入口４１となる部分は、メッシュ状であることが好ましい。この場合、出入口４１となる部分をまるめて捲り上げた後、それを固定する出入口止め４２が設けられていることが好ましい。出入口止め４２としては、面ファスナーなどを利用することができる。
【００２１】
さらに、側面部材４０には、猫と遊ぶおもちゃを挿入するプレイホール４５が設けられていることが好ましい。このプレイホール４５から「猫じゃらし」等のおもちゃを挿入したりして、猫と一緒に遊ぶことができる。また、プレイホール４５から猫の様子を覗いて楽しむこともできる。側面部材４０に形成されるプレイホール４５は１つでも構わないが、２〜２０個が好ましく、３〜１５個がより好ましい。また、仕切り部材３０で仕切られる各領域の側面部材４０に形成されるプレイホール４５の数は、それぞれ１〜１０個が好ましく、２〜８個がより好ましく、３〜６個がさらに好ましい。
【００２２】
側面部材４０に形成されるプレイホール４５の形状は、円形でも多角形でもベロ状でもよいが、円形が好ましい。円形のプレイホール４５の大きさとしては、猫が通り抜けることができず、「猫じゃらし」等のおもちゃを挿入できる大きさであればよいが、直径３〜７ｃｍとすることが好ましく、直径４〜５ｃｍとすることがより好ましい。
【００２３】
側面部材４０は、その少なくとも一部がメッシュ状であることが好ましい。例えば、図１に示す猫用遊具は、２枚の仕切り部材３０によって３段構造になっているが、その２段目となる側面部材４０の部分をメッシュ状にすることで、猫用遊具全体の通気性がよくなる。また、この部分から猫が遊んでいる様子を眺めて楽しむこともできる。
【００２４】
支柱５０は、側面部材４０を自立させるものであり、繊維強化プラスチック製のポールである。支柱５０は、強度が強くたわみやすいことから、ガラス繊維強化プラスチック製であることが好ましい。また、支柱５０は、中央部から折りたたみ可能なものが好ましい。本発明に係る猫用遊具は、支柱５０を少なくとも３本有していればよく、その数は３本でも４本でも５本でも６本でもよい。こうすることで、猫の重みで支柱５０がたわみ、猫がハンモックに乗っているような感じになってリラックスできる。支柱５０は、側面部材４０の表面に等間隔に配置されるように取り付けられることが好ましい。
【００２５】
ここで、図１に示すように、支柱５０を取り付ける側面部材４０の下部には支柱ポケット５１がけられていることが好ましく、支柱５０を取り付ける側面部材４０の上部には支柱止め５２が設けられていることが好ましい。支柱ポケット５１は、支柱５０の下部を挿入して側面部材４０から支柱５０が外れないようにするポケットであり、例えば、左右と下部を側面部材４０に縫い付け上部を開口させた布製のものとすることができる。支柱止め５２は、支柱５０の上部を固定するものであり、例えば面ファスナーを利用することができる。
【００２６】
さらに、図１に示すように、支柱５０を取り付ける側面部材４０の中央部には支柱ガイド５３が設けられていることが好ましい。支柱ガイド５３は、支柱５０の中央部の位置ずれを防止するものであり、例えば、左右を側面部材４０に縫い付け上下を開口させた布製のものとすることができる。
【００２７】
このような猫用遊具は、簡単に組み立てることができる。具体的には、まず支柱５０を支柱ガイド５３に通し、支柱５０の下部を支柱ポケット５１に挿入する。そして、支柱５０の上部を支柱止め５２で固定する。これを支柱５０の数だけ繰り返すことで、猫用遊具を組み立てることができる。
【００２８】
本発明に係る猫用遊具の全体形状は、円筒形状でも角筒形状でもよいが、円筒形状が好ましい。この場合、図１に示すように、底面部材１０、上面部材２０及び仕切り部材３０が同じ大きさの円形をなしていればよい。底面部材１０、上面部材２０及び仕切り部材３０には、その形状を保つための補強材が外周に亘って設けられていてもよい。
【００２９】
本発明に係る猫用遊具の大きさは、内部で猫が上下運動したりお昼寝をしたりすることができる大きさであればよい。例えば、底面部材１０、上面部材２０及び仕切り部材３０が円形である場合、これらの大きさとしては、直径４０〜９０ｃｍとすることが好ましく、直径４５〜７０ｃｍとすることがより好ましい。また、本発明に係る猫用遊具の高さに関しては、仕切り部材３０で仕切られた領域の高さが、２０〜５０ｃｍであることが好ましく、２５〜４０ｃｍであることがより好ましい。
【００３０】
以上のように、本発明に係る猫用遊具は、工具不要で簡単に組み立てでき、使用しないときはコンパクトにたたんで収納することができる。そして、本発明に係る猫用遊具の内部では、内部で猫が上下運動をすることができ、リラックスしてお昼寝することもできる。
【符号の説明】
【００３１】
１０    底面部材
２０    上面部材
２１    出入口
３０    仕切り部材
３１    出入口
４０    側面部材
４１    出入口
４２    出入口止め
４３    出入口
４５    プレイホール
５０    支柱
５１    支柱ポケット
５２    支柱止め
５３    支柱ガイド
【図１】
2014030371.tif 000003
【図２】
2014030371.tif 000004
【図３】
2014030371.tif 000005